【事件の表示】
　平成　９年特許願第　９７４８１号「無線呼出受信機」拒絶査定不服審判事件〔平成１０年１０月２７日出願公開、特開平１０−２９０４７２〕について、次のとおり審決する。
【結　論】
　本件審判の請求は、成り立たない。
【理　由】
１．手続の経緯
　本願は、平成９年４月１５日の出願であって、平成１４年５月１７日付けで拒絶理由が通知され、平成１４年７月２３日付けで手続補正がされ、平成１５年３月５日付で拒絶査定がなされ、これに対し、平成１５年４月１０日に拒絶査定に対する審判請求がなされるとともに、平成１５年５月１２日付で本願明細書について手続補正がなされたものである。
　
２．平成１５年５月１２日付の手続補正についての補正却下の決定
［補正却下の決定の結論］
　　平成１５年５月１２日付の手続補正を却下する。
［理由］
（１）補正後の特許請求の範囲の記載
　平成１５年５月１２日付の手続補正（以下、「本件補正」という。）により、特許請求の範囲の請求項１及び２は、
「【請求項１】　基地局から送信された呼出信号のフレームを受信する受信手段と、
　連続的なフレームからあらかじめ定められたタイミングで周期的にフレームを受信するためのタイミング信号を発生するタイミング手段と、
　このタイミング手段の発生したタイミング信号にしたがって前記受信手段を受信状態に制御する受信制御手段と
　を備えた無線呼出受信機において、
　前記タイミング手段は、前記連続的なフレームから同一または異なる周期の複数の受信サイクルでそれぞれフレームを受信できるように、互いに異なるタイミングでタイミング信号を発生する複数のタイマを含む
　ことを特徴とする無線呼出受信機。
【請求項２】　基地局から送信された呼出信号のフレームを受信する受信手段と、
　連続的なフレームからあらかじめ定められたタイミングで周期的にフレームを受信するためのタイミング信号を発生するタイミング手段と、
　このタイミング手段の発生したタイミング信号にしたがって前記受信手段を受信状態に制御する受信制御手段と
　を備えた無線呼出受信機において、
　前記タイミング手段は、基本となるタイミング信号を発生するタイマと、この基本となるタイミング信号により決定される受信サイクルとは異なるタイミングで前記連続的なフレームから周期的にフレームを受信できるように、前記タイマの発生したタイミング信号をあらかじめ定められたタイミングシフト情報にしたがって遅延させることにより異なるタイミングのタイミング信号を発生する１または複数のタイミングシフト手段とを含む
　ことを特徴とする無線呼出受信機。」
と補正された。
　上記補正は、請求項１に記載した発明を特定するために必要な事項である「互いに異なるタイミングでタイミング信号を発生する複数のタイマ」について「異なるタイミングでそれぞれ周期的にフレームを受信できるように」に代え「同一または異なる周期の複数の受信サイクルでそれぞれフレームを受信できるように」との限定を付加し、同じく請求項２に記載した発明を特定するために必要な事項である「タイミングシフト手段」について「基本となるタイミング信号により決定されるタイミングとは異なるタイミングで」に代え「基本となるタイミング信号により決定される受信サイクルとは異なるタイミングで」との限定を付加するものであって、特許法第１７条の２第４項第２号の特許請求の範囲の減縮を目的とするものに該当する。
　
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
（２）引用例
　＜引用例１＞
　　原査定の拒絶の理由に引用された特開平８−２２３６２５号公報（以下、引用例１という。）には、図面とともに下記の事項が記載されている。
（Ａ）「【産業上の利用分野】本発明は、無線選択呼出受信機の間欠受信に関し、特に、予め定められた時刻のみ無線信号を受信する無線選択呼出受信機の間欠受信に関する。
【０００２】
　【従来の技術】従来、この種の無線選択呼出受信機（以下、受信機）は、例えば、１９８２年３月１２日公開の特開昭５７−４４３４４号公報（文献１）に示されるように、受信機のバッテリーセイビング効率を向上させることを目的として用いられている。
【０００３】図６は、文献１記載の受信機のブロック図である。
【０００４】図において、アンテナ１は、図示しない無線基地局からの無線信号を受信する。無線部２は、後述する第３の制御信号がハイレベルのとき、電源がオンに制御され、アンテナ１が受信した無線信号を復調、増幅し、復調信号を出力する。波形整形部３は、デコーダ５が読みとり可能なデジタル信号に復調信号を波形整形し、デジタル信号を出力する。
【０００５】アドレスメモリ１８は、自己の呼出番号を記憶しており、デコーダ５に出力する。デコーダ５は、デジタル信号をデコードし、デコード信号を出力する。また、デコーダ５は、デジタル信号に含まれる呼出信号と、自己の呼出信号との一致を検出し、一致信号を出力する。
【０００６】スピーカ駆動部６は、一致信号を電流増幅し、スピーカ駆動信号を出力する。スピーカ７は、スピーカ駆動信号により駆動され、呼出報知を行う。
【０００７】間欠受信制御部１９は、デコード信号を入力し、第１の制御信号を出力する。また、間欠受信制御部１９は、予め定められた自己の呼出信号が含まれるフレームを受信するために、デコード信号に基づき第１の制御信号をローレベルからハイレベルに変化させる。タイマ設定部２０は、基地局からの無線信号を受信する時刻を設定し、第２の制御信号を出力する。また、タイマ設定部２０は、無線部２の電源をオンに制御するために、前述した時刻設定に基づき第２の制御信号をローレベルからハイレベルに変化させる。論理回路部２１は、ＡＮＤゲートから構成され、第１の制御信号と第２の制御信号との論理積を取り、第３の制御信号を無線部２に出力する。」（２頁右欄５−４５行）
　
（Ｂ）「【０００８】次に、動作について説明する。
【０００９】間欠受信制御部１９は、予め定められた自己の呼出信号が含まれるフレームを受信するタイミングで、第１の制御信号をローレベルからハイレベルに変化させ、論理回路部２１に出力する。また、タイマ設定部２０は、予め定められた時刻になると、無線部２の電源をオンに制御するために、第２の制御信号をローレベルからハイレベルに変化させ、論理回路部２１に出力する。論理回路部２１は、第１の制御信号と第２の制御信号との論理積を取り、第３の制御信号を無線部２に出力する。すなわち、論理回路部２１は、予め定められた自己の呼出信号が含まれるフレームを、予め定められた時刻のみ受信するために、第３の制御信号をローレベルからハイレベルに変化させて無線部２に出力する。
【００１０】無線部２は、第３の制御信号がハイレベルのときのみ、オンに制御され、アンテナ１を介し、基地局からの無線信号を受信し、復調、増幅し、復調信号を波形整形部３に出力する。復調信号は、波形整形部３においてデジタル信号に変換され、デコーダ５に出力され、自己の呼出番号の一致が検出される。デコーダ５は、自己の呼出番号の一致を検出すると、一致信号を出力し、この一致信号はスピーカ駆動部６において、増幅され、スピーカ７により呼出報知される。
【００１１】上述したように、文献１記載の受信機は、基地局からの無線信号を受信する時刻を予め設定することができるため、従来の間欠受信動作に加え、無線部２が動作する時間を限定することができるため、受信機のバッテリーセイビング効率を向上させるのに適している。」（２頁右欄４６行−３頁左欄２４行）
　
（Ｃ）「【００１２】ところで、近年の受信機では、複数の自己の呼出番号が設定され、呼出サービスの多様化が図られている。すなわち、従来の個別呼出サービス（第１のサービス）に加え、複数の受信機を一斉に呼び出すため共通呼出サービス（第２のサービス）等が提供されている。
【００１３】これら複数のサービスには、それぞれ専用の呼出番号が設定されており、受信機は、それぞれの呼出番号が含まれているそれぞれのフレームを受信するために受信機は、受信部をその都度オンに制御しなくてはならなく、バッテリーセイビング効率を著しく低下させる。」（３頁左欄２５−３６行）
　
（Ｄ）「【００２４】第一のフレーム番号メモリ８は、第１および第２の呼出番号が含まれるフレーム、すなわち第１および第２のフレーム番号を記憶しており、受信フレーム番号決定部１０に出力する。なお、本発明では、基地局からの無線信号に、後述するＰＯＣＳＡＧ（Ｐｏｓｔ　Ｏｆｆｉｃｅ　Ａｄｖｉｓｏｒｙ　Ｇｒｏｕｐ）標準方式の信号フォーマットを採用しているため、自己の呼出番号を設定すると、その呼出番号が含まれるフレームも設定される。すなわち、ＰＯＣＳＡＧ方式は、自己の呼出番号を８で除算し、その余りが、フレーム番号になるように設定されるというものである。
【００２５】時計部９は、現在時刻を計時し、現在時刻信号を受信フレーム決定部１０に出力する。
【００２６】受信フレーム決定部１０は、予め定められた時刻範囲内では、第一のフレーム番号メモリ８の出力するフレーム番号をバッテリーセイビング信号発生部１１に出力する。一方、受信フレーム決定部１０は、予め定められた時刻範囲外では、後述する受信フレーム決定部１０内の第二のフレーム番号メモリ１４の出力するフレーム番号をバッテリーセイビング信号発生部１１に出力する。
【００２７】バッテリーセイビング信号発生部１１は、デコーダ５の出力する同期検出信号と、受信フレーム番号決定部１０の出力するフレーム番号とから、無線部２をオン、オフ制御するバッテリーセイビング信号を出力する。」（４頁左欄４−２９行）
　
（Ｅ）「【００３６】一方、図３において、バッテリーセイビング信号発生部１１は、ビットカウンタプリセットメモリ１６およびビットカウンタ１７を含む。
【００３７】　ビットカウンタプリセットメモリ１６は、フレーム同期信号の位置から各フレームまでのビット長を記憶している。また、ビットカウンタプリセットメモリ１６は、フレーム番号選択部１２の出力するフレーム番号をアドレスとして、前述したビット長をカウンタプリセット信号として出力する。
【００３８】なお、各フレームのフレーム同期信号からの位置は、図５に示す。
【００３９】ビットカウンタ１７は、デコーダ５の出力する同期信号検出信号を入力すると、リセットされる。また、ビットカウンタ１７は、リセット後、カウントアップしを始め、カウンタプリセット信号の指定するビット長をカウントしたとき、バッテリーセイビング信号をローレベルからハイレベルに変化させる。また、ビットカウンタ１７は、バッテリーセイビング信号をローレベルからハイレベルに変化させたのち、６４ビットをカウント、すなわち、自己の呼出番号が含まれているフレームを受信し終わると、バッテリーセイビング信号をハイレベルからローレベルに変化させる。」（４頁右欄２６−４６行）
　
（Ｆ）「【００４６】図示しない電源がオンに制御されると、受信機は、プリアンブルサーチモードに入り、無線部２をオン、オフ制御し、プリアンブル信号を検出し始める。デコーダ５が、アンテナ１、無線部２、および波形整形部３を介して入力されたデジタル信号から、プリアンブル信号を検出すると、後述するフレーム同期信号の受信終了まで、無線部２は、オンに制御される。なお、フレーム同期信号の受信終了までの無線部２のオン、オフ制御に関し、本発明は、その特徴を有さず、周知の技術を用い、実現化能なため、詳細な説明は省略する。
【００４７】フレーム同期信号サーチモードに入り、デコーダ５が、フレーム同期信号を検出、その検出が終了すると、デコーダ５は、同期信号検出信号をビットカウンタ１７に出力する。ビットカウンタ１７は、同期信号検出信号を入力すると、リセットされるとともに、無線部２に出力するバッテリーセイビング信号をハイレベルからローレベルに変化させ、無線部２をオフに制御する。
【００４８】ビットカウンタ１７は、その後、カウントアップを開始し、カウンタプリセット信号の指定するビット長をカウントすると、バッテリーセイビング信号をローレベルからハイレベルに変化させ、無線部２をオンに制御する。また、ビットカウンタ１７は、バッテリーセイビング信号をローレベルからハイレベルに変化させたのち、６４ビットをカウント、すなわち、予め定められた自己の呼出番号を含むフレームを受信し終わると、バッテリーセイビング信号をハイレベルからローレベルに変化させ、無線部２をオフに制御する。さらに、ビットカウンタ１７は、同期信号検出信号の入力から５１４ビットをカウント、すなわち、次のフレーム同期信号が、無線基地局から送信されると、フレーム同期信号を受信するためにバッテリーセイビング信号をローレベルからハイレベルに変化させ、無線部２にオンに制御する。」（５頁左欄１７−５０行）
　
（Ｇ）「【００４９】一方、受信フレーム番号決定部１０では、有効時間設定部１５の出力する時間設定信号と、時計部９の出力する現在時刻信号とが、時間比較部１３において比較され、現在時刻が、時間設定信号の指定する時刻内に含まれるときには、ハイレベル、含まれないときは、ローレベルの選択信号を出力する。選択信号は、フレーム番号選択部１２に入力され、選択信号がハイレベルのときは、第二のフレーム番号メモリ１４の出力するフレーム番号が、選択信号がローレベルのときは、第一のフレーム番号メモリ８の出力するフレーム番号がバッテリーセイビング信号発生部１１に出力される。すなわち、有効時間記憶部１５の設定する時間内では、第二のフレーム番号メモリ１４の出力する第２のフレーム番号が、一方、有効時間記憶部１５の設定する時間外では、第一のフレーム番号メモリ８の出力する第１および第２のフレーム番号がビットカウンタプリセットメモリ１６に出力される。」（５頁右欄１−１７行）
 
　上記（Ａ）、（Ｂ）及び図６の記載によれば、引用例１には、
 
　無線基地局から送信された無線信号を受信するアンテナと、アンテナが受信した無線信号を復調、増幅し、復調信号を出力する無線部と、デコーダが読みとり可能なデジタル信号に復調信号を波形整形しデジタル信号を出力する波形整形部と、自己の呼出番号を記憶しており、デコーダに出力するアドレスメモリと、波形整形部が出力したデジタル信号をデコードし、デコード信号を出力するとともに、デジタル信号に含まれる呼出信号と、自己の呼出信号との一致を検出し、一致信号を出力するデコーダと、予め定められた自己の呼出信号が含まれるフレームを受信するために、デコード信号に基づき第１の制御信号を出力する間欠受信制御部と、基地局からの無線信号を受信する時刻を設定し、無線部２の電源をオンに制御するために第２の制御信号を出力するタイマ設定部と、ＡＮＤゲートから構成され、第１の制御信号と第２の制御信号との論理積を取り、第３の制御信号を無線部２に出力する論理回路部とを備え、前記無線部は第３の制御信号により電源がオンに制御されるように構成されていることを特徴とする無線選択呼出受信機。
　
の発明（以下「引用例１発明」という。）が開示されていると認めることができる。
　
　また、上記（Ｃ）によれば、複数の呼出サービスに対応してそれぞれ専用の呼出番号が設定され、選択呼出受信機はそれぞれの呼出番号が含まれているそれぞれのフレームを受信するために受信部をその都度オンに制御する技術が開示されている。
　さらに、上記（Ｄ）−（Ｇ）によれば、有効時間記憶部１５の設定する時間外においては、フレーム番号選択部１２により、第一のフレーム番号メモリ８の出力が選択され、該第一のフレーム番号メモリ８に記憶されている第１および第２のフレーム番号がビットカウンタプリセットメモリ１６に出力され、このプリセットメモリの内容により、ビットカウンタ１７がカウントアップし、バッテリーセービング信号発生部１１が、第１及び第２のフレーム番号、すなわち第１及び第２の呼出番号が含まれるフレームにおいて、図１における無線部２をオン制御する信号を出力することが示唆されているものと認められる。
　
　＜引用例２＞　
　同じく、原査定の拒絶の理由に引用された特開平５−３４７５７７号公報（以下、引用例２という。）には、図面とともに、
「【請求項１】基地局からビット同期信号に続いて呼出を複数回繰り返して送信される変調された信号を受信し復調する無線部と、制御信号に応じて前記無線部に間欠に電源を供給する電源供給部を有する選択呼出受信機において、前記無線部からの出力信号を受け、この信号が前記ビット同期信号であるかどうかを判定する判定手段と、この判定手段によりビット同期信号と判定された場合は、基地局からのビット同期信号送信周期よりも長い周期で、前記制御信号を前記電源供給部へ供給する第１タイマ手段と、前記第１タイマ手段の制御信号によりビット同期信号が検出できない場合は、基地局からのビット同期信号送信周期よりも短い周期で、前記制御信号を前記電源供給部へ供給する第２タイマ手段とを有することを特徴とする選択呼出受信機。」（２頁請求項１）の記載があり、
　この引用例２には、選択呼出受信機の間欠受信に係る技術であって、基地局から送信される呼出信号を受信し復調する無線部に、制御信号に応じて間欠に電源を供給する電源供給部を設けると共に、互いに異なる周期の制御信号を前記電源供給部に供給する第１タイマ手段と第２タイマ手段を備え、両制御信号の供給に応じて間欠受信を行う技術が開示されているものと認められる。
　
　＜周知技術＞
　本件出願前当業者間において周知の刊行物である「高度無線呼出システム標準規格　ＲＣＲ　ＳＴＤ−４３Ａ」Ａ改訂、平成８年６月２５日、社団法人 電波産業会、には、
(A)「3.1.2　可変受信サイクル　
　各受信機のアドレスには128フレームのうちいずれか１つのフレームが割り当てられる。・・・（中略）・・・　しかし、呼出し遅延時間を短くしたい場合には受信サイクルを変更することができる。これを可変受信サイクルという。」（１２頁２２−２７行）
(B)「可変受信サイクルの例を以下に示す。
　　・・・（中略）・・・
　例）自己フレーム番号63、可変受信サイクル＝４（２2）を設定した場合、図3.1.2−1のような周期で受信する。」（１３頁１４行−最終行、１４頁の図3.1.2−1　可変受信サイクルの受信例、を参照。）
(C)「２つの可変受信サイクルを各フレームに割り当てる場合の適用例を例１、例２で示す。」（１４頁最終行）
(D)「（例２）可変受信サイクル＝４、ＴＤ可変受信サイクル＝３２を適用した場合の受信モデル」（１６頁、図3.1.3−2）
(E)「(5)アドレスは必要に応じて受信機に記憶される。１台の受信機に記憶されるアドレスの数に制限はない。」（４５頁１６−１７行）
(F)「3.8.4　アドレスとフレームの関係
　アドレスはアドレスごとに、フレーム0〜127のどれか１つのフレームに割り当てられる。１つのアドレスが２つ以上のフレームに割り当てられてはならない。どのフレームに割り当てられたかの情報は、アドレスごとに基地局側設備と受信機に記憶される。受信機が複数のアドレスを有する場合、アドレスはすべて同一のフレームに割り当てられなければならない。ただし、特別な仕様の受信機はこの限りではない。」（５０頁１−６行）という記載があり、
 基地局からの無線呼出し信号を受信する受信機において、１台の受信機に、複数のアドレスを設定すること、その複数のアドレスは原則同一のフレームに割り当てなければならないが、特別仕様の受信機においては、異なるフレームに割り当てても良いこと、また、同一周期または異なる周期の複数の可変受信サイクルを設定し、同一または異なる周期の複数の受信サイクルでそれぞれフレームを受信できるように受信機をオンさせること、つまり間欠受信を行うことは、当業者にとって周知と認められる。
　
（３）対比
　そこで、本願補正発明と引用例１発明とを比較すると、引用例１発明の「無線選択呼出受信機」は、本願補正発明の「無線呼出受信機」に相当し、
　引用例１発明の「無線基地局から送信された無線信号を受信するアンテナと、アンテナが受信した無線信号を復調、増幅し、復調信号を出力する無線部と、デコーダが読みとり可能なデジタル信号に復調信号を波形整形しデジタル信号を出力する波形整形部と、自己の呼出番号を記憶しており、デコーダ５に出力するアドレスメモリと、波形整形部が出力したデジタル信号をデコードし、デコード信号を出力するとともに、デジタル信号に含まれる呼出信号と、自己の呼出信号との一致を検出し、一致信号を出力するデコーダ」は、本願補正発明の「基地局から送信された呼出信号のフレームを受信する受信手段」に相当し、
　引用例１発明の「予め定められた自己の呼出信号が含まれるフレームを受信するために、デコード信号に基づき第１の制御信号を出力する間欠受信制御部と、基地局からの無線信号を受信する時刻を設定し、無線部の電源をオンに制御するために第２の制御信号を出力するタイマ設定部と、ＡＮＤゲートから構成され、第１の制御信号と第２の制御信号との論理積を取り、第３の制御信号を無線部２に出力する論理回路部」は、予め受信することが定められた時刻において、間欠受信制御部から第１制御信号により、自己の呼出信号が含まれるフレームを受信するために無線部２の電源が間欠的にオンになるように第３の制御信号が出力されるように構成されているものであるから、本願補正発明の「連続的なフレームからあらかじめ定められたタイミングで周期的にフレームを受信するためのタイミング信号を発生するタイミング手段」に相当し、
　引用例１発明における受信部は、論理回路部から出力される第３の制御信号により、電源がオンに制御されるように構成されているので、引用例１発明においても、本願補正発明の「タイミング手段の発生したタイミング信号にしたがって前記受信手段を受信状態に制御する受信制御手段」に相当する構成を備えているものと認められる。
　よって、両者は、
　基地局から送信された呼出信号のフレームを受信する受信手段と、
　連続的なフレームからあらかじめ定められたタイミングで周期的にフレームを受信するためのタイミング信号を発生するタイミング手段と、
　このタイミング手段の発生したタイミング信号にしたがって前記受信手段を受信状態に制御する受信制御手段と
　を備えた無線呼出受信機
の点で一致し、以下の点で相違している。
　
［相違点］本願補正発明は、タイミング手段が、連続的なフレームから同一または異なる周期の複数の受信サイクルでそれぞれフレームを受信できるように、互いに異なるタイミングでタイミング信号を発生する複数のタイマを含んでいるのに対し、引用例１発明においては、タイミング手段が上記のごとくの複数のタイマ含んでいることについて開示されていない点。
　
（４）判断
　上記相違点について検討すると、
　上記引用例１（上記２−（２）＜引用例１＞の（Ｃ）、（Ｄ）−（Ｇ）を参照。）には、無線呼出受信機において、複数の呼出番号が設定され、その呼出番号がそれぞれ含まれている複数のフレームにおいて自己に対する呼出信号を受信できるようにカウンタを用いて受信部をその都度オンに制御することが示唆されており、
　また、当業者間において周知の上記文献（「高度無線呼出システム標準規格　ＲＣＲ　ＳＴＤ−４３Ａ」Ａ改訂、平成８年６月２５日、社団法人 電波産業会）に記載されているように、１台の無線呼出受信機において、複数のアドレスを設定すること、その複数のアドレスを連続するフレーム内の異なるフレームに割り当てることが許容されていること、また、同一周期または異なる周期の複数の可変受信サイクルを設定し、同一または異なる周期の複数の受信サイクルでそれぞれフレームを受信できるように受信機をオンさせること、つまり間欠受信を行うことが周知技術と認められ、
　そして、引用例２には、上記のごとく、選択呼出受信機において、第１タイマ手段と第２タイマ手段という２つのタイマを使用して、互いに異なる周期において無線部に電源供給を行い、間欠受信を行う技術が開示されているのであるから、
　引用例１に開示されているごとくの選択呼出受信機において、タイミング手段が、互いに異なるタイミングでタイミング信号を発生する複数のタイマを備え、連続的なフレームから同一または異なる周期の複数の受信サイクルでそれぞれフレームを受信できるように、互いに異なるタイミングでタイミング信号を発生するように構成することは、当業者が容易に想到しえたものというべきである。
　
　そして、本願補正発明の作用効果も、引用例１、引用例２及び周知技術から当業者が予測できる範囲のものである。
　したがって、本願補正発明は、引用例１に記載された発明、引用例２に記載された発明、及び、周知技術に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１５年５月１２日付の手続補正は上記のとおり却下されたので、本願の請求項１に係る発明（以下、「本願発明」という。）は、平成１４年７月２３日付手続補正書の特許請求の範囲の請求項１に記載された事項により特定される、以下のとおりのものである。
　
「【請求項１】　基地局から送信された呼出信号のフレームを受信する受信手段と、
　連続的なフレームからあらかじめ定められたタイミングで周期的にフレームを受信するためのタイミング信号を発生するタイミング手段と、
　このタイミング手段の発生したタイミング信号にしたがって前記受信手段を受信状態に制御する受信制御手段と
　を備えた無線呼出受信機において、
　前記タイミング手段は、前記連続的なフレームから異なるタイミングでそれぞれ周期的にフレームを受信できるように、互いに異なるタイミングでタイミング信号を発生する複数のタイマを含む
　ことを特徴とする無線呼出受信機。」
　
（１）引用例
　原査定の拒絶の理由に引用された引用例、および、その記載事項は、前記「２．（２）」に記載したとおりである。
　
（２）対比・判断
　本願発明は、前記２．で検討した本願補正発明における「互いに異なるタイミングでタイミング信号を発生する複数のタイマ」の限定事項である「同一または異なる周期の複数の受信サイクルでそれぞれフレームを受信できるように」との構成が単に「異なるタイミングでそれぞれ周期的にフレームを受信できるように」というものになる。
　そうすると、本願発明の構成要件を全て含み、さらに他の構成要件を付加し限定したものに相当する本願補正発明が、前記「２．（４）」に記載したとおり、引用例１、引用例２、及び、周知技術に基づいて、当業者が容易に発明をすることができたものであるから、本願発明も、同様の理由により、引用例１、引用例２、及び、周知技術に基づいて、当業者が容易に発明をすることができたものである。
　
（３）むすび
　以上のとおり、本願発明は、引用例１に記載された発明、引用例２に記載された発明、及び、周知技術に基づいて、当業者が容易に発明をすることができたものであるから、特許法第２９条第２項の規定により特許を受けることができない。
　よって、結論のとおり審決する。